(57)【要約】【課題】情報記録用カートリッジに、マイナスイオンに由来する各種効能を付加することにより、購買者に対する訴求効果を高めて、購買意欲を引き出す。【解決手段】ディスク１を収容するケース本体２の外表面に、マイナスイオン発生物質を含むインクを用いて、シルクスクリーン法によりベタ状の印刷部１１を形成する。【選択図】        図１
2004206800.tif 000002
【特許請求の範囲】
【請求項１】
ケース本体の内部に情報記録媒体が収容されている情報記録用カートリッジであって、
前記ケース本体の外表面に、ベタ状の印刷部が形成されており、
前記ベタ状の印刷部が、マイナスイオン発生物質を含むインクを用いて印刷されていることを特徴とする情報記録用カートリッジ。
【請求項２】
ベースシートと、その片面に積層されて、剥離可能に切り抜かれたタイトルラベルとからなる情報記録用カートリッジのラベルシートであって、
前記タイトルラベルの外表面に、ベタ状の印刷部が形成されており、
前記ベタ状の印刷部が、マイナスイオン発生物質を含むインクを用いて印刷されていることを特徴とする情報記録用カートリッジのラベルシート。
【請求項３】
情報記録用カートリッジのインデックスカードであって、
前記インデックスカードの表面に、ベタ状の印刷部が形成されており、
前記ベタ状の印刷部が、マイナスイオン発生物質を含むインクを用いて印刷されていることを特徴とする情報記録用カートリッジのインデックスカード。
【発明の詳細な説明】
【０００１】
【発明の属する技術分野】
本発明は、ケース本体に情報記録媒体が収納されている情報記録用カートリッジと、このカートリッジ用のラベルシートとインデックスカードに関する。
【０００２】
【従来の技術】
ミニディスク（以下、単にＭＤという）などの情報記録用カートリッジのケース本体の外表面に、印刷表示部を形成することは、例えば特許文献１に公知である。特許文献２や特許文献３では、オーディオやビデオ用の各種テープカートリッジのケース本体の外表面に印刷表示部を形成している。
【０００３】
【特許文献１】
特開２００２−１０９８５３号公報
【特許文献２】
特開平５−２８６９８号公報
【特許文献３】
特開平８−２２６８７号公報
【０００４】
【発明が解決しようとする課題】
しかし、上記の各特許文献における印刷表示は、商品名や形式表示、あるいは模様などのデザイン表示であり、単に外観上のイメージを向上する、あるいは購買者に対する外観上の訴求効果を高めるものにすぎなかった。
【０００５】
本発明の目的は、情報記録用カートリッジ、およびこのカートリッジ用のラベルシートとインデックスカードに、マイナスイオンに由来する各種効能を付加することにより、購買者に対する訴求効果を高めて、購買意欲を引き出すことにある。
【０００６】
【課題を解決するための手段】
本発明の情報記録用カートリッジは、図１に示すごとく、ケース本体２の内部に情報記録媒体１が収容してあり、ケース本体２の外表面に、ベタ状の印刷部１１を形成する。このとき、ベタ状の印刷部１１がマイナスイオン発生物質を含むインクを用いて印刷されている点に特徴を有する。
【０００７】
また、本発明の情報記録用カートリッジのラベルシートは、図２に示すごとく、ベースシート１６と、その片面に積層されて、剥離可能に切り抜かれたタイトルラベル１７とからなり、タイトルラベル１７の外表面に、ベタ状の印刷部２３を形成する。このとき、ベタ状の印刷部２３がマイナスイオン発生物質を含むインクを用いて印刷されている点に特徴を有する。
【０００８】
また、本発明の情報記録用カートリッジのインデックスカードは、図３に示すごとく、インデックスカード２７の表面に、ベタ状の印刷部３３が形成されたものである。このとき、ベタ状の印刷部３３がマイナスイオン発生物質を含むインクを用いて印刷されている点に特徴を有する。
【０００９】
【発明の作用効果】
マイナスイオンが生態細胞を活性化して人体に好影響を与えることは、一般的によく知られる事実である。詳しくは、マイナスイオンには、鼻や口から吸われることにより興奮物質の血中濃度を低下させるリラクゼーション効果や、人体肌の水分吸収を助けてその水分率を高める肌湿潤効果などの各種効能がある。従って、本発明のごとく、情報記録用カートリッジのケース本体２の外表面やラベルシート１５を構成するタイトルラベル１７の外表面、あるいはインデックスカード２７の表面に、マイナスイオン発生物質を含むインクを用いてベタ状の印刷部１１・２３・３３を形成して、これら印刷部１１・２３・３３にマイナスイオン発生能を与えるようにしてあると、購買者に対する訴求効果を高めることができるので、情報記録用カートリッジに対する購買意欲を引き出すことができる。
【００１０】
【発明の実施の形態】
（第１実施例）  図１は本発明をＭＤに適用した第１実施例を示しており、図中の符号１は信号記録用のディスク、２はディスクを収容するケース本体である。ディスクは信号の書き込みが可能な光磁気ディスクからなり、その表裏両面に信号記録部がそれぞれ設けられている。ケース本体２は、蓋合わせ状に接合される上下一対のハーフケース２ａ・２ｂで構成してあり、各ハーフケース２ａ・２ｂは、それぞれ透明ないし半透明のプラスチック材で形成する。もちろん、不透明なプラスチック材で形成してあってよい。
【００１１】
各ハーフケース２ａ・２ｂの上下の主面壁の一側には、信号書き込み用の窓３が開口している。この窓３は前後にスライドするシャッター４で開閉できる。ケース本体２の主面壁の外表面において、シャッター４のスライド領域は浅い凹部５になっている。シャッター４は、断面コ字形のステンレス板材製のプレス成形品からなり、先の窓３を閉じた状態において、ケース内部に設けたロック爪で開放不能にロック保持できる。もちろん、シャッター４は、プラスチック材からなるものであってもよい。
【００１２】
上側のハーフケース２ａの外表面には、タイトルラベル１７（図２参照）を貼着するための浅い凹部６が形成されている。この凹部６の底面には、ＭＤの外観デザイン上の興趣を向上し、購買者に対する訴求効果を高めることを目的として、商品名７、型式表示８、メーカー名９などの文字表示がシルクスクリーン法により印刷されている。
【００１３】
ケース本体２の中央部および辺部には、面積の大きなベタ状の印刷部１１をシルクスクリーン法で形成する。このベタ状の印刷部１１は、ケース本体２の成形材の色と異なる色を有する印刷インクで形成されており、従ってケース本体２は、全体として２色成形でなされたような外観形状となっている。そして、本実施例においては、ベタ状の印刷部１１を形成する印刷インクに、トルマリン鉱石の微粒子などのマイナスイオン発生物質を含むインクを用いており、指先で印刷部１１を擦るなどのように、印刷部１１に対して何らかの衝撃を与えたときに、マイナスイオンが大気中に放出されるようにしてある。
【００１４】
かかるマイナスイオンが生態細胞を活性化して人体に好影響を与えることは、一般的によく知られる事実である。詳しくは、マイナスイオンには、鼻や口から吸われることにより興奮物質の血中濃度を低下させるリラクゼーション効果や、人体肌の水分吸収を助けてその水分率を高める肌湿潤効果などの各種効能がある。従って、本実施例のごとく、ＭＤのケース本体２のベタ状の印刷部１１に、マイナスイオン発生能を与えるようにしてあると、購買者に対する訴求効果を高めることができるので、ＭＤに対する購買意欲を引き出すことができる。
【００１５】
また、ケース本体２を着色されたプラスチック材で成形しておき、ベタ状の印刷部１１にかかる印刷インクの色をケース本体２の色と異ならせて印刷部を形成すると、印刷部１１が２色成形されたような外見形状が得られるので、その分だけ情報記録用カートリッジの外観上の印象が向上し、その点でも購買者に対する訴求効果を高めることができる。
【００１６】
ベタ状の印刷部１１のような面積の大きな部分をパッド印刷法で形成した場合には、印刷層の表面に凹凸や色ムラなどの印刷不良が生じ易い。その点、本実施例ように印刷部１１をシルクスクリーン法で形成するようにしてあると、凹凸や色ムラの発生を抑えて、高品質かつ高精度にベタ状の印刷部１１が形成できる。
【００１７】
（第２実施例）  図２は本発明に係る情報記録用カートリッジのラベルシートをＭＤ用のラベルシートに適用した第２実施例を示す。図２においてラベルシート１５は、プラスチックシートからなるベースシート１６と、その片面に積層されて、剥離可能に切り抜かれた一対のタイトルラベル１７などからなり、底面片１９と前面片２０と上面片２１とで構成する。これらの各片は、包装状態においては、鉤型に折り曲げられて、ＭＤやインデックスカードとともに、保護ケース内に収納される。
【００１８】
ＭＤの構成は、先の第１実施例と略同一である。すなわち、ケース本体２は、蓋合わせ状に接合される上下一対のハーフケース２ａ・２ｂで構成してある。各ハーフケース２ａ・２ｂの上下の主面壁の一側には、信号書き込み用の窓３が開口している。この窓３は前後にスライドするシャッター４で開閉できる。ケース本体２の主面壁の外表面において、シャッター４のスライド領域は浅い凹部５になっている。シャッター４は、断面コ字形のステンレス板材製のプレス成形品からなり、先の窓３を閉じた状態において、ケース内部に設けたロック爪で開放不能にロック保持できる。上側のハーフケース２ａの外表面には、タイトルラベル１７を貼着するための浅い凹部６が形成されている。
【００１９】
タイトルラベル１７は平面視で四角形状を呈しており、その裏面の全体には、接着剤層が形成されている。図２に示すごとく、この接着剤層の接着力を利用して、ベースシート１６から剥がしたタイトルラベル１７を、ハーフケース２ａの凹部６に貼り着けることができる。タイトルラベル１７の外表面には、面積の大きなベタ状の印刷部２３がシルクスクリーン法により形成されている。ここでは、四角形状のタイトルラベル１７の一方の短辺に沿って帯状に印刷部２３を形成した。
【００２０】
そして、ベタ状の印刷部２３を形成する印刷インクに、トルマリン鉱石の微粒子などのマイナスイオン発生物質を含むインクを用いており、指先で印刷部２３を擦るなどのように、印刷部２３に対して何らかの衝撃を与えたときに、マイナスイオンが大気中に放出されるようにしてある。
【００２１】
本実施例により得られる効果は、先の第１実施例と同様である。すなわち、このようにラベルシート１５にマイナスイオン発生能を与えるようにしてあると、購買者に対する訴求効果を高めることができるので、ＭＤに対する購買意欲を引き出すことができる。シルクスクリーン法でベタ状の印刷部２３を形成するので、凹凸や色ムラの発生を抑えて、高品質かつ高精度に印刷部２３を形成できる。
【００２２】
（第３実施例）  図３は、本発明に係る情報記録用カートリッジのインデックスカードをＭＤ用のインデックスカードに適用した第３実施例を示す。図３において、符号２６は、ＭＤを収容する保護ケース、２７はインデックスカードである。保護ケース２６は、単なる被包装体に過ぎないので、ＭＤを収容したときの保護ケース２６の外観形状が、前面に出し入れ口２８を有する薄い角箱状である点のみを述べるに止めて、その構造の説明を省略する。
【００２３】
インデックスカード２７は、底面片３０と、この底面片３０の後端部から直角状に折り曲げられた後面片３１と有し、展開状態において平面視で四角形状を呈する。そして、包装状態においては、後端片３１を折り曲げた姿勢で、この後面片３１から保護ケース２６内に収容される。
【００２４】
インデックスカード２７の外表面には、面積の大きなベタ状の印刷部３３がシルクスクリーン法により形成されている。ここでは、底面片３０の外表面の四方周縁、および後端片３１に、印刷部３３を形成した。
【００２５】
そして、ベタ状の印刷部３３を形成する印刷インクに、トルマリン鉱石の微粒子などのマイナスイオン発生物質を含むインクを用いており、指先で印刷部３３を擦るなどのように、印刷部３３に対して何らかの衝撃を与えたときに、マイナスイオンが大気中に放出されるようにしてある。
【００２６】
本実施例により得られる効果は、先の第１実施例および第２実施例と同様である。すなわち、このようにインデックスカード２７にマイナスイオン発生能を与えるようにしてあると、購買者に対する訴求効果を高めることができるので、ＭＤに対する購買意欲を引き出すことができる。シルクスクリーン法でベタ状の印刷部３３を形成するので、凹凸や色ムラの発生を抑えて、高品質かつ高精度に印刷部３３が形成できる。
【００２７】
ベタ状の印刷部１１・２３・３３の形状および形成箇所は、先の第１ないし第３実施例に示したものに限られない。
【図面の簡単な説明】
【図１】第１実施例に係る情報記録用カートリッジを説明するために用いたものであり、ＭＤの平面図である。
【図２】第２実施例に係る情報記録用カートリッジのラベルシートの説明するために用いたものであり、ＭＤとラベルシートの斜視図である。
【図３】第３実施例に係る情報記録用カートリッジのインデックスカードの説明するために用いたものであり、ＭＤの保護ケースとインデックスカードの斜視図である。
【符号の説明】
１  情報記録媒体（ディスク）
２  ケース本体
１１  ベタ状の印刷部
１５  ラベルシート
１６  ベースシート
１７  タイトルラベル
２３  ベタ状の印刷部
２７  インデックスカード
３３  ベタ状の印刷部
【図１】
2004206800.tif 000003
【図２】
2004206800.tif 000004
【図３】
2004206800.tif 000005